(57)【特許請求の範囲】
【請求項１】
直線状に延びる前方把持部と、該前方把持部の一端に一体で形成された後方把持部と、を有する把持部と、
前記後方把持部の他端から延びるワイヤ部と、該ワイヤ部に植毛された複数のフィラメントからなるブラシ部と、を有するワイヤブラシ部と、
を備える歯間ブラシであって、
前記前方把持部の中心線と前記後方把持部の中心線とが成す角度は、１２０〜１７５度の範囲であり、
前記後方把持部と前記ワイヤブラシ部との接続部からワイヤブラシ部側へ距離３ｍｍとなる位置が、前記後方把持部の中心線に対して垂直方向へ３ｍｍ押され、該ワイヤブラシ部がその弾性により戻ったときの、前記後方把持部の中心線と前記ワイヤブラシ部の中心線とが成す戻り角度が、２〜２５度の範囲内となるように、前記ワイヤブラシ部は構成されている、ことを特徴とする歯間ブラシ。
【請求項２】
請求項１記載の歯間ブラシであって、
前記後方把持部と前記ワイヤブラシ部との接続部からワイヤブラシ部側へ距離３ｍｍとなる位置が、前記後方把持部の中心線に対して垂直方向へ２ｍｍ押されたときの、前記ワイヤブラシ部の反発力が６０〜５００ｇｆの範囲内となるように、該ワイヤブラシ部が構成されている、ことを特徴とする歯間ブラシ。
【請求項３】
請求項２記載の歯間ブラシであって、
前記後方把持部と前記ワイヤブラシ部との前記接続部から前記把持部側へ５ｍｍとなる位置が、前記後方把持部の中心線に対して垂直方向へ５ｍｍ押されたときの、前記把持部の反発力が０．５〜３．５ｋｇｆの範囲内となるように、前記把持部が構成されている、ことを特徴とする歯間ブラシ。
【発明の詳細な説明】
【技術分野】
【０００１】
本発明は、例えば、歯間に残留する食物等を清掃及び除去する歯間ブラシに関し、特に、金属製ワイヤによる金属不快感を軽減した歯間ブラシに関するものである。
【背景技術】
【０００２】
従来、ワイヤが含有する、クロム、マンガンおよび窒素の量を調整することで、ワイヤの引張特性の耐力及び破断伸びを調整した歯間ブラシ用ワイヤ及び歯間ブラシが知られている（例えば、特許文献１参照）。
【０００３】
また、金属ワイヤを捻り加工して構成したワイヤロッド部にフィラメントからなるブラシを取り付け、その金属製ワイヤをＣｏ含有量３０〜６０重量％のＣｏ合金から形成してなる歯間ブラシが知られている（例えば、特許文献２参照）。
【０００４】
さらに、把持部の前方把持部の軸線（中心線）が後方把持部の軸線（中心線）に対して、１５０〜１７０度の範囲の角度をなすように構成された歯間ブラシが知られている（例えば、特許文献３参照）。
【特許文献１】特許第３４５８６２７号
【特許文献２】特許第２５３８５３３号
【特許文献３】実用新案第３０４９０２８号
【発明の開示】
【発明が解決しようとする課題】
【０００５】
ところで、歯間ブラシのワイヤブラシ部が歯間に挿入される際に、歯とワイヤブラシ部の金属部が接触すると不快感、いわゆる金属不快感が感じられることがある。一般的にＩ字型やＬ字型といわれている歯間ブラシは、通常、歯間ブラシのワイヤブラシ部が歯間に対して垂直に挿入されるので、ワイヤブラシ部が歯面に接触することは少なく、金属不快感はあまりない（ワイヤブラシ部の反発力などは金属不快感に影響しない）が、例えば、特許文献３に記載されているような歯間ブラシを使用して臼歯部の歯間を清掃する場合、歯間ブラシのワイヤブラシ部が歯間に対して斜めに挿入されるので、ワイヤブラシ部がそれ自体の反発力により歯面に強く接することになったり、また反対に、ワイヤブラシ部の反発力がない場合には歯間への挿入を首尾よく行うことができなくなり、ワイヤブラシ部が歯面に接触する機会が多くなるため金属不快感が強くなる傾向がある。
【０００６】
しかしながら、上記いずれの従来の歯間ブラシにおいても、歯間ブラシのワイヤブラシ部が歯間に対して斜めに挿入される際の、金属不快感を軽減させることに着目し、十分に考慮された設計がなされているとは言い難かった。
【０００７】
本発明は、上記従来の有する問題点に鑑みてなされたものであり、歯間ブラシが歯間に対して垂直だけでなく斜めに挿入した場合にも金属不快感を軽減できる歯間ブラシを提供することを主たる目的とする。
【課題を解決するための手段】
【０００８】
上記目的を達成するための本発明の一態様は、直線状に延びる前方把持部と、前方把持部の一端に一体で形成された後方把持部と、を有する把持部と、後方把持部の他端から延びるワイヤ部と、ワイヤ部に植毛された複数のフィラメントからなるブラシ部と、を有するワイヤブラシ部と、を備える歯間ブラシであって、前方把持部の中心線と後方把持部の中心線とが成す角度は、１２０〜１７５度の範囲であり、後方把持部とワイヤブラシ部との接続部からワイヤブラシ部側へ距離３ｍｍとなる位置が、後方把持部の中心線に対して垂直方向へ３ｍｍ押され、ワイヤブラシ部がその弾性により戻ったときの、後方把持部の中心線とワイヤブラシ部の中心線とが成す戻り角度が、２〜２５度の範囲内となるように、ワイヤブラシ部は構成されている、ことを特徴とする歯間ブラシである。
【０００９】
この一態様によれば、歯間ブラシの金属不快感を軽減することができる。
また、この一態様において、後方把持部とワイヤブラシ部との接続部からワイヤブラシ部側へ距離３ｍｍとなる位置が、後方把持部の中心線に対して垂直方向へ２ｍｍ押されたときの、ワイヤブラシ部の反発力が６０〜５００ｇｆの範囲内となるように、ワイヤブラシ部が構成されているのが好ましい。これにより、歯間ブラシの金属不快感をより軽減することができる。
【００１０】
さらに、この一態様において、後方把持部とワイヤブラシ部との接続部から把持部側へ５ｍｍとなる位置が、後方把持部の中心線に対して垂直方向へ５ｍｍ押されたときの、把持部の反発力が０．５〜３．５ｋｇｆの範囲内となるように、把持部が構成されているのが好ましい。これにより、歯間ブラシの金属不快感をさらに軽減することができる。
【発明の効果】
【００１１】
本発明によれば、歯間ブラシが歯間に対して垂直だけでなく斜めに挿入された際にも、金属不快感を軽減することができる。
【発明を実施するための最良の形態】
【００１２】
（第１の実施形態）
以下、本発明を実施するための最良の形態について、添付図面を参照しながら説明する。図１（ａ）は、本発明の第１の実施形態に係る歯間ブラシの概略を示す図であり、当該歯間ブラシを側方から見た図である。図１（ｂ）は、図１に示す歯間ブラシを垂直下方向へ見た平面図である。
【００１３】
第１の実施形態に係る歯間ブラシ１０は、ユーザが把持することができ、略く字状に屈曲する把持部１と、把持部１の一端に取り付けられたワイヤブラシ部２と、を備えている。
【００１４】
把持部１は、ポリアミド（ナイロン）、ポリプロピレン、ポリスチレン、ポリエチレン、ポリエチレンテレフタレート（ＰＥＴ）、ポリブチレンテレフタレート（ＰＢＴ）又はこれらの組合せの合成樹脂製であり、適度な剛性及び弾性を有しており、例えば、株式会社プライムポリマー、三井化学株式会社、三菱樹脂株式会社などから所望の性質を有するものを商業的に入手することができる。また、把持部１の長さは、図１（ｂ）に示す中心線Ｘ２に平行な方向で、例えば、略２５〜１００ｍｍである。
【００１５】
また、把持部１は、略直線状に延びる前方把持部１ａと、この前方把持部１ａの一端に一体的に形成された後方把持部１ｂと、から構成されている。また、前方把持部１ａの中心線Ｘ１と後方把持部１ｂの中心線Ｘ２との成す角度θ１が、１２０〜１７５度の範囲内となるように、把持部１が形成されている。これにより、歯間ブラシ１０が口の中へ挿入され、その歯間ブラシ１０のワイヤブラシ部２を各歯間に対して、より挿入し易くなる。例えば、歯間ブラシ１０のワイヤブラシ部２が、臼歯部（小臼歯、大臼歯）の歯間へ挿入される際に、その操作性が良好となる。
【００１６】
前方把持部１ａの中心線Ｘ１と後方把持部１ｂの中心線Ｘ２との成す角度θ１は、１５０〜１７０度の範囲内となるように、把持部１が形成されるのが好ましい。これにより、歯間ブラシ１０のワイヤブラシ部２を各歯間に対してさらに挿入し易くなる。
【００１７】
ここで、本明細書中において「中心線」Ｘ１、Ｘ２とは図１（ａ）のように、歯間ブラシ１０を側方から見たときに物体の中心を通る線のことをいう。
なお、前方把持部１ａの断面形状は略円形状（楕円形状等）となっており、後方把持部１ｂの断面形状は略矩形状（図１（ｃ））となっている。また、後方把持部１ｂの断面積は、前方把持部１ａの断面積より小さくなっており、例えば、前方把持部１ａ側から後方把持部１ｂ側へ行くに従って次第に細くなるように、略テーパー状に形成されている。ここで、前方把持部１ａの断面積は１５〜４０ｍｍ２の略円形であり、後方把持部１ｂの断面積は３〜２０ｍｍ２の略矩形状である。
【００１８】
後方把持部１ｂの断面において、図１（ｃ）に示す如く、縦辺ａ（押圧力の方向と一致する辺であり、垂直方向の辺）は、その横辺ｂ（水平方向の辺）よりも長くなるよう（例えば、縦辺ａと横辺ｂとの比が、１＜縦辺ａ／横辺ｂ＜１．６）に設定されている。
【００１９】
これにより、ワイヤブラシ部２が歯間に挿入される際に、及び挿入された後の歯間清掃の際に、ワイヤブラシ部２に対して垂直方向の押圧力が作用することがある。この場合でも、後方把持部１ｂには、荷重が掛かる方向に対して適度な剛性（曲り強度）が確保される。したがって、把持部１に生じ得る不要な湾曲を効果的に抑制できるため、歯間ブラシ１０の操作性が良好となる。
ワイヤブラシ部２は、後方把持部１ｂの他端からその中心線Ｘ２上に延びるワイヤ部２ａと、ワイヤ部２ａの中心線Ｘ３（すなわち、中心線Ｘ２上に中心線Ｘ３が位置している）に沿って、ワイヤ部２ａに植毛された複数のフィラメントからなるブラシ部２ｂと、から構成されている。
ワイヤブラシ部２のブラシ部２ｂは、口内の各歯間（隣り合う歯と歯との間に形成される空間）に挿入され、上下方向又は前後方向に移動される。このとき、ブラシ部２ｂのフィラメントの先端部が、歯面を擦すって、例えば、各歯間に残留する食べ滓等が除去される。
【００２０】
ワイヤ部２ａは、その一端が後方把持部１ｂの先端に埋設されている。ワイヤ部２ａへのフィラメントの植毛は、周知の方法で行うことができ、特に限定されないが、例えば、１本のワイヤを２つ折りにして、折り返したワイヤ間に合成繊維または天然繊維の複数のフィラメントを、ワイヤに直交する方向に向けて挟持させ、ワイヤを所定のピッチで捻り加工することによって行うことができる。
【００２１】
ワイヤ部２ａの１本のワイヤの太さ（径）は、例えば、０．２〜０．４ｍｍ程度となっている。また、ワイヤ部２ａは、例えば、延性があり、耐食性に富み、強度も高い素材として周知である、鉄、クロム、マンガン、ニッケル、窒素等を含むステンレス鋼から構成されている。また、ワイヤは、例えば、日本精線株式会社などから所望の性質を有するものを商業的に入手することができる。
【００２２】
ブラシ部２ｂは、例えば、ワイヤ部２ａの２本のワイヤ間に挟み込まれた合成繊維または天然繊維の束からなるフィラメントの毛先を所定の形状、例えば、略円錐形又は略円柱形に切り揃えてブラシをなしている。
【００２３】
例えば、ブラシ部２ｂのフィラメントは、特に限定されないが、そのブラシカット幅（カットされた先端部分の幅）が、２．５ｍｍ程度となっている。また、ブラシ部２ｂのフィラメントは、例えば、ポリアミド（ナイロン）、ポリエチレン、ポリプロピレン、ポリエチレンテレフタレート（ＰＥＴ）からなり、各フィラメントの径は、２．０〜３．５ｍｉｌｓ程度となっている。
【００２４】
歯間ブラシ１０は、フィラメント径、フィラメントの本数、フィラメントの束の毛切り形状や大きさによって特徴づけられ、全日本ブラシ工業協同組合「歯間ブラシ通過径サイズ自主規格」により、サイズ１〜６に分類され、例えば、ＳＳＳ、ＳＳ、Ｓ、Ｍ、Ｌなどの記号で示される。
【００２５】
ところで、歯間ブラシ１０のワイヤブラシ部２が各歯間に挿入される場合、ワイヤブラシ部２が歯間に対して、垂直に挿入されるだけでなく、斜めに挿入されることがある。一般に、歯間ブラシ１０のワイヤブラシ部２が歯間に対して垂直に挿入される場合においては、ワイヤブラシ部２が歯面に接触することは少なく、ユーザが金属製のワイヤ部２ａ（特に、ブラシ接合部１ｃ近傍）から受ける不快感、すなわち、金属不快感を感じることはあまりない（ワイヤブラシ部２の弾性（または反発力）は金属不快感に影響しない）。
【００２６】
一方で、従来の歯間ブラシのワイヤブラシ部が歯間に対して斜めに挿入される場合、上記ワイヤブラシ部が歯間に対して垂直に挿入される場合と比較して、そのワイヤ部の弾性（反発力）による金属不快感の影響がより大きくなる傾向がある。
【００２７】
本発明者は、種々検討を重ねた結果、歯間ブラシ１０において、後方把持部１ｂとワイヤブラシ部２との接続部１ｃ（以下、ブラシ接合部１ｃと称す）からワイヤブラシ部２側へ距離３ｍｍとなる位置が後方把持部１ｂの中心線Ｘ２に対して垂直下方向へ３ｍｍ押され（Ｉの点線位置）、その後、ワイヤブラシ部２がその弾性により戻ったときの（IIの点線位置）、後方把持部１ｂの中心線Ｘ２とワイヤブラシ部２の中心線Ｘ３とが成す戻り角度θ２が２〜２５度の範囲内となるように、ワイヤブラシ部２を構成することで、上記金属不快感を著しく軽減できることを見出した。
【００２８】
すなわち、
第１の実施形態に係る歯間ブラシ１０において、ブラシ接合部１ｃからワイヤブラシ部２側へ距離３ｍｍとなる位置が後方把持部１ｂの中心線Ｘ２に対して垂直下方向へ３ｍｍ押され（Ｉの点線位置）、その後、ワイヤブラシ部２がその弾性により戻ったときの（IIの点線位置）、後方把持部１ｂの中心線Ｘ２とワイヤブラシ部２の中心線Ｘ３とが成す戻り角度θ２が２〜２５度の範囲内となるように、ワイヤブラシ部２は構成されている（図２（ａ））。この構成を採用することによって、
上記歯間ブラシ１０のワイヤブラシ部２が歯間に対して斜めに挿入されるときの、上記ワイヤブラシ部２の弾性による金属不快感を軽減することができる。本発明において、この金属不快感には、上記ワイヤブラシ部２の金属製ワイヤ部２ａが歯間に接触したときに感じられるゴリゴリした不快感、及び金属製ワイヤ部２ａが歯間に接触したときに生じるガルバーニ電流による不快感が含まれ、これらの不快感が同時に軽減される。
次に、第１の実施形態に係る、ワイヤブラシ部２の戻り角度θ２が２〜２５度の範囲内となるように構成された歯間ブラシ１０の評価試験（１）について説明する。
（評価試験（１））
表１は、第１の実施形態に係る歯間ブラシ１０の評価試験（１）の結果を示している。
【００２９】
【表１】
0005199688.tif 000002
【００３０】
ここで、本評価試験（１）において使用された歯間ブラシ１０のワイヤブラシ部２のフィラメントはナイロンであり、本数は２００本、そのブラシカット幅は約２．５ｍｍとした（全日本ブラシ工業協同組合「歯間ブラシ通過径サイズ自主規格」におけるサイズ２）。
【００３１】
また、前方把持部１ａの中心線Ｘ１と後方把持部１ｂの中心線Ｘ２との成す角度θ１は１６０度に設定した。ここで、ワイヤブラシ部２の曲り強度Ｆ１（ｇｆ）（図２（ｂ））が５５ｇｆ、把持部１の先端曲り強度Ｆ２（図２（ｃ））が０．３ｋｇｆの値を有する歯間ブラシ１０を使用した。また、戻り角度θ２、曲り強度Ｆ１および先端曲り強度Ｆ２のそれぞれの値は、以下の測定方法に従い測定をし、測定値の許容誤差は±５％とした。
（ワイヤブラシ部２の戻り角度θ２の測定方法）
ワイヤブラシ部２の戻り角度θ２の測定方法について詳細に説明する。
【００３２】
把持部１の側面から見て、ブラシ接合部１ｃから把持部１側へ距離３０ｍｍとなる固定位置を、ワイヤブラシ部２の中心線Ｘ３が水平となるように固定用治具により把持し、固定した。この把持部１を固定する際の固定力は、ワイヤブラシ部２に対して押圧力を加えて、その反発力Ｆ１を測定する際に、把持部１が動かないだけの十分な力とした。
【００３３】
次に、ブラシ接合部１ｃからワイヤブラシ部２側へ距離３ｍｍとなる位置を、図２（ａ）に示す如く、後方把持部１ｂの中心線Ｘ２に対して垂直下方向（把持部１が屈曲する方向）へ３ｍｍ押圧した（Ｉの点線位置）。その後、ワイヤブラシ部２を、その押圧力から解放した（この時、ワイヤブラシ部２の弾性により元の位置に戻ろうとする）。このワイヤブラシ部２が最終的に戻った位置（IIの点線位置）における、後方把持部１ｂの中心線Ｘ２とワイヤブラシ部２の中心線Ｘ３とが成す、ワイヤブラシ部２の戻り角度θ２を測定した（図２（ａ））。
【００３４】
（ワイヤブラシ部２の曲り強度Ｆ１の測定方法）
ワイヤブラシ部２の曲り強度Ｆ１の測定方法ついて詳細に説明する。
上記ワイヤブラシ部２の戻り角度θ２の測定方法と同様に、ブラシ接合部１ｃから把持部１側へ距離３０ｍｍとなる固定位置を、ワイヤブラシ部２の中心線Ｘ３が水平となるように固定用治具により把持し、固定した。
【００３５】
次に、ブラシ接合部１ｃからワイヤブラシ部２側へ距離３ｍｍとなる位置を、後方把持部１ｂの中心線Ｘ２に対して垂直下方向へ２ｍｍ押圧した。この位置（IIIの点線位置）におけるワイヤブラシ部２の反発力（曲り強度）Ｆ１を、荷重測定器（プッシュプルゲージ：AIKOH  ENGINEERING  CPU  GAUGE  9500SERIES  20kgf  B  TYPE）により測定した。この反発力Ｆ１の値をワイヤブラシ部２の曲り強度Ｆ１とした（図２（ｂ））
（把持部１の先端曲り強度Ｆ２の測定方法）
上記ワイヤブラシ部２の戻り角度θ２の測定方法と同様に、把持部１の側面から見て、ブラシ接合部１ｃから把持部１側へ距離３０ｍｍとなる固定位置を、後方把持部１ｂの中心線Ｘ２が水平となるように固定用治具により把持し、固定した。この把持部１を固定する際の固定力は、把持部１に対して押圧力を加えて、その反発力Ｆ２を測定する際に、把持部１が動かないだけの十分な力とした。
【００３６】
次に、把持部１のブラシ接合部１ｃから把持部１側へ５ｍｍとなる位置を、後方把持部１ｂの中心線Ｘ２に対して垂直下方向へ５ｍｍ押圧した。この位置（IVの点線位置）での把持部１の反発力Ｆ２を荷重測定器（プッシュプルゲージ：AIKOH  ENGINEERING  CPU  GAUGE  9500SERIES  20kgf  B  TYPE）により測定した。この反発力Ｆ２の値を把持部１の先端曲り強度Ｆ２とした（図２（ｃ））。
【００３７】
（金属不快感の評価方法）
歯間ブラシを１週間に１回以上で、かつ継続して１年以上使用しているユーザ１５人を被験者として、歯間ブラシ１０のワイヤブラシ部２が臼歯の歯間に対して斜めに挿入されたときに感じられる金属不快感に対して評価した。
【００３８】
被験者には、試験例および比較試験例のそれぞれの歯間ブラシ１０を使用してもらい、臼歯間に斜めに挿入、連続清掃した時の金属不快感について、０点（不快感が大いにある）〜１０点（不快感がない）のスケール（スケールは０．５点刻みであり、２．５点が「ややある」、５点が「どちらでもない」、７．５点が「あまりない」とした）においてどこに該当するかを評価してもらった。得られた評価点を平均し、小数点第二位を四捨五入し、平均評価値とした。
表１の評価試験（１）の結果が示すように、ワイヤブラシ部２の
戻り角度θ２が２〜２５度の範囲内となるように構成した場合、ワイヤブラシ部２の適度な反発力により、ワイヤブラシ部の歯間への挿入および歯間清掃がし易いため、余計な力がかからず歯面とワイヤブラシ部２との不要な接触を避けることができ、金属不快感を平均評価値７．０以上とすることができた。
また、
ワイヤブラシ部２の戻り角度θ２が２〜１５度の範囲内となる場合、平均評価値が７．５以上（金属不快感があまりない）であり、金属不快感がより軽減されていることが分かる。
一方、戻り角度θ２が２〜２５度の範囲外である歯間ブラシ１０は全ての平均評価値が５．０（金属不快感に関しどちらでもない）より小さくなり、ワイヤブラシ部の金属不快感があることが分かる。
具体的には、歯間ブラシのユーザは、通常、ワイヤブラシ部が後方把持部の中心線上に存在しているということを想定しながら、ワイヤブラシ部で狙って歯間に挿入して使用している。ここで、戻り角度θ２が２５度を超える従来の歯間ブラシの場合、挿入後、ワイヤブラシ部が後方把持部の中心線上から大きく外れるため、一度歯間から抜いて別の歯間に挿入しようとした時（連続清掃時）には、その戻り角度θ２により、再度、首尾よく歯間に挿入することができなかったり、また無理やり歯間に挿入しようとしたりするため、ワイヤブラシ部と歯との接触が多くなることが分かった。一方、戻り角度θ２が２度未満であると、強い反発力のために、歯間に対して斜めにワイヤブラシ部を挿入する時および清掃時にワイヤブラシ部が歯に強く接触してしまい金属不快感が増してしまうことが分かった。
【００３９】
しかしながら、第１の実施形態に係る歯間ブラシ１０において、戻り角度θ２を２〜２５度の範囲内に設定すると、ワイヤブラシ部２が歯間に対して斜めに挿入される場合でも、歯間に挿入しやすく、かつ清掃時においてもワイヤブラシ部２と歯との不必要な接触を抑えることができるので、金属不快感を軽減できることが分かった。
【００４０】
すなわち、第１の実施形態に係る歯間ブラシ１０において、戻り角度θ２が２〜２５度の範囲内となるようにワイヤブラシ部２を構成した場合、ワイヤブラシ部２が歯間に対して斜めに挿入される際に、ワイヤブラシ部２による金属不快感が軽減されることが明確である。
【００４１】
また、表１に示す評価試験（１）において、前方把持部１ａの中心線Ｘ１と後方把持部１ｂの中心線Ｘ２との成す角度θ１が１２０度、１４０度、および１７５度となる歯間ブラシ１０が用いられた場合にも、表１に示すような同様な評価試験の結果の傾向が見られた。
なお、戻り角度θ２および曲り強度Ｆ１を、上述のように構成する方法としては、例えば、周知技術であるワイヤ部２ａの組成（鉄、クロム、マンガン、モリブデン、ニッケル、窒素の重量％、組成物質）、形状（径、断面形状）等を変更するなど周知の方法で行うことができる。本実施例においては、例えば、日本精線株式会社から入手したものを使用した。
同様に、先端曲り強度Ｆ２を上述のように構成する方法としては、例えば、把持部１の寸法（断面形状）、樹脂材料（ポリアミド（ナイロン）、ポリプロピレン、ポリスチレン、ポリエチレン、ポリエチレンテレフタレート（ＰＥＴ）、ポリブチレンテレフタレート（ＰＢＴ）、又はこれらの組合せ）等を変更するなど周知の方法で行うことができる。本実施例においては、例えば、株式会社プライムポリマーから入手したものを使用した。
以上、第１の実施形態に係る歯間ブラシ１０において、ワイヤブラシ部２の戻り角度θ２を２〜２５度の範囲内となるように構成することにより、表１に示す如く、歯間ブラシ１０のワイヤブラシ部２が歯間に対して斜めに挿入されたときの、ワイヤブラシ部２による金属不快感の評価点が良好となる。すなわち、歯間ブラシ１０のワイヤブラシ部２が歯間に対して斜めに挿入された際の、金属不快感を軽減することができる。
（第２の実施形態）
本発明者は、さらに、第１の実施形態に係る歯間ブラシ１０において、ワイヤブラシ部２の曲り強度Ｆ１を６０〜５００ｇｆとすることで、金属不快感をさらに改善できることを見出した。
【００４２】
すなわち、第２の実施形態に係る歯間ブラシ１０は、さらに、第１の実施形態に係る歯間ブラシ１０のワイヤブラシ部２の曲り強度Ｆ１を６０〜５００ｇｆの範囲内に構成したものである。
【００４３】
第２の実施形態に係る、戻り角度θ２が２〜２５度の範囲内となり、かつ曲り強度Ｆ１が６０〜５００ｇｆの範囲内となるように構成されたワイヤブラシ部２を有する歯間ブラシ１０の評価試験（２）について説明する。
（評価試験（２））
表２は、第２の実施形態に係る歯間ブラシ１０の評価試験（２）の結果を示している。
【００４４】
【表２】
0005199688.tif 000003
【００４５】
ここで、本評価試験（２）において使用された歯間ブラシ１０のワイヤブラシ部２のフィラメントはナイロンであり、本数は２００本、そのブラシカット幅は約２．５ｍｍとした（全日本ブラシ工業協同組合「歯間ブラシ通過径サイズ自主規格」におけるサイズ２）。
また、前方把持部１ａの中心線Ｘ１と後方把持部１ｂの中心線Ｘ２との成す角度θ１は１６０度に設定した。さらに、戻り角度θ２が６°、先端曲り強度Ｆ２が０．３ｋｇｆの値を有する歯間ブラシ１０を使用した。なお、
戻り角度θ２、曲り強度Ｆ１および先端曲り強度Ｆ２の測定方法は、上記測定方法の記載に従って行い、それぞれの値は、許容誤差±５％とした。
【００４６】
金属不快感の評価方法は、上記評価試験（１）と同様に、各歯間ブラシ１０を評価した後、試験例１の歯間ブラシ１０の評価を基準として評価改善率を算出した。
すなわち、評点改善率とは、各試験回の平均評価値が、試験例１における平均評価値（８．３）により夫々除算され、各除算された値をパーセント表記したものである。したがって、この評点改善率の数値が増加するほど、評価点の改善が大きくなっていることを示し、金属不快感の軽減が大きくなっていることを示す。ここで、本評価試験（２）における試験例１は、評価試験（１）における試験例２と同一の歯間ブラシ１０である。
【００４７】
表２に示すように、ワイヤブラシ部２の曲り強度Ｆ１を６０〜５００ｇｆの範囲内に構成することで、金属不快感の評価点がさらに良好になることが分かる。具体的には、ワイヤブラシ部２が手の動きに追随しやすいので、スムーズに歯間に挿入することができ、かつ清掃時にもワイヤブラシ部２と歯面との間に余計な力がかからないため、ワイヤブラシ部２と歯との不必要な接触を抑えることができる、つまり金属不快感を軽減できることが分かった。特に、曲り強度Ｆ１が７０〜４００ｇｆである歯間ブラシ１０を使用した場合、金属不快感をさらに軽減できた。
また、ワイヤブラシ部２の曲り強度Ｆ１を７０〜３００ｇｆの範囲内に構成した場合、評点改善率が１１０％以上となり、より好ましいことが分かった。
なお、表２に示す評価試験において、ワイヤブラシ部２の戻り角度θ２が２°、１１°、１３°、１８°および２５°となる歯間ブラシ１０を用いた場合、および前方把持部１ａの中心線Ｘ１と後方把持部１ｂの中心線Ｘ２との成す角度θが１２０度、１４０度、および１７５度となる歯間ブラシ１０が用いられた場合でも、表２に示すような同様な試験結果の傾向が見られた。
【００４８】
戻り角度θ２および曲り強度Ｆ１を、上述のように構成する方法としては、例えば、周知技術であるワイヤ部２ａの組成（鉄、クロム、マンガン、モリブデン、ニッケル、窒素の重量％、組成物質）、形状（径、断面形状）等を変更するなど周知の方法で行うことができる。本実施例においては、例えば、日本精線株式会社から入手したものを使用した。
【００４９】
同様に、先端曲り強度Ｆ２を上述のように構成する方法としては、例えば、把持部１の寸法（断面形状）、樹脂材料（ポリアミド（ナイロン）、ポリプロピレン、ポリスチレン、ポリエチレン、ポリエチレンテレフタレート（ＰＥＴ）、ポリブチレンテレフタレート（ＰＢＴ）、又はこれらの組合せ）等を変更するなど周知の方法で行うことができる。本実施例においては、例えば、株式会社プライムポリマーから入手したものを使用した。
以上、第２の実施形態に係る歯間ブラシ１０において、ワイヤブラシ部２の戻り角度θ２が２〜２５度の範囲内となり、かつ曲り強度Ｆ１が６０〜５００ｇｆの範囲内となるように構成することにより、表２に示す如く、歯間ブラシ１０のワイヤブラシ部２が歯間に対して斜めに挿入されたときの、ワイヤブラシ部２による金属不快感の評価点が良好に改善され、より良好な評価結果が得られる。すなわち、歯間ブラシ１０のワイヤブラシ部２が歯間に対して斜めに挿入された際の、金属不快感をさらに軽減することができる。
（第３の実施形態）
本発明者は、さらに、第１または２の実施形態に係る歯間ブラシ１０において、歯間ブラシ１０の把持部１の先端曲り強度Ｆ２を０．５〜３．５ｋｇｆとすることで、金属不快感をさらに改善できることを見出した。
【００５０】
すなわち、第３の実施形態に係る歯間ブラシ１０は、さらに、第１又は第２の実施形態に係る歯間ブラシ１０の把持部１の先端曲り強度Ｆ２を０．５〜３．５ｋｇｆの範囲内に構成したものである。
【００５１】
具体的には、
第３の実施形態に係る歯間ブラシ１０は、ワイヤブラシ部２の戻り角度θ２が２〜２５度の範囲内（好ましくは、曲り強度Ｆ１が６０〜５００ｇｆの範囲内である）であり、かつ把持部１の先端曲り強度Ｆ２が０．５〜３．５ｋｇｆの範囲内となるように構成したものである。
【００５２】
第３の実施形態に係る、ワイヤブラシ部２の戻り角度θ２が２〜２５度の範囲内であり、曲り強度Ｆ１が６０〜５００ｇｆの範囲内であり、かつ把持部１の先端曲り強度Ｆ２が０．５〜３．５ｋｇｆの範囲内となるように構成された歯間ブラシ１０の評価試験（３）について説明する。
（評価試験（３））
表３は、第３の実施形態に係る歯間ブラシ１０の評価試験（３）の結果を示している。
【００５３】
【表３】
0005199688.tif 000004
【００５４】
ここで、本評価試験（３）において使用された歯間ブラシ１０のワイヤブラシ部２のフィラメントはナイロンであり、本数は２００本、そのブラシカット幅は約２．５ｍｍとした（全日本ブラシ工業協同組合「歯間ブラシ通過径サイズ自主規格」におけるサイズ２）。
【００５５】
また、前方把持部１ａの中心線Ｘ１と後方把持部１ｂの中心線Ｘ２との成す角度θ１は１６０度に設定した。ここで、戻り角度θ２が６°、曲り強度Ｆ１が５５ｇｆの値を有する歯間ブラシ１０を使用した。また、戻り角度θ２、曲り強度Ｆ１および先端曲り強度Ｆ２の測定方法は、評価方法１に記載の方法に従って行い、それぞれの値は、許容誤差±５％とした。
【００５６】
金属不快感の評価方法は、評価試験（２）の評価方法と同様に、各歯間ブラシ１０を評価した後、試験例１の歯間ブラシ１０の評価を基準として評価改善率を算出した。すなわち、評点改善率とは、各試験回の平均評価値が、試験例１における平均評価値（８．３）により夫々除算され、各除算された値をパーセント表記したものである。したがって、この評点改善率の数値が増加するほど、評価点の改善が大きくなっていることを示し、金属不快感の軽減が大きくなっていることを示す。ここで、本評価試験（３）における試験例１は、評価試験（１）における試験例２と同一の歯間ブラシ１０である。
表３に示すように、把持部１の先端曲り強度Ｆ２が０．５〜３．５ｋｇｆの範囲内に構成されたとき、評点改善率が１０５％以上となり、金属不快感の評価点がより良好に改善されたことが分かる。
【００５７】
具体的には、前方把持部１ａの中心線Ｘ１と後方把持部１ｂの中心線Ｘ２とが規定の角度θ１（１２０〜１７５度）を成す場合であっても、ワイヤブラシ部２を歯間に挿入する時および清掃時に把持部１が必要以上に湾曲したりすることなく、手の動きを把持部１からワイヤブラシ部２へ無駄なく伝達することができるので、スムーズに歯間に挿入することができ、かつ清掃時にもワイヤブラシ部２と歯面との間に余計な力がかからないため、ワイヤブラシ部２と歯との不必要な接触を抑えることができる、つまり金属不快感を軽減できることが分かった。特に、把持部１の先端曲り強度Ｆ２が１．０〜３．０ｋｇｆである歯間ブラシ１０を使用した場合、金属不快感をさらに軽減できた。
【００５８】
なお、表３に示す評価試験（３）において、ワイヤブラシ部２の戻り角度θ２が２°、１１°、１３°、１８°および２５°となるように構成した歯間ブラシ１０が用いられた場合、さらには、曲り強度Ｆ１が６０〜５００ｇｆの範囲内となるように構成した歯間ブラシ１０が用いられた場合でも、表３に示すような同様な評価試験の結果の傾向が見られた。
【００５９】
また、表３に示す評価試験（３）において、前方把持部１ａの中心線Ｘ１と後方把持部１ｂの中心線Ｘ２との成す角度θ１が１２０度、１４０度、および１７５度となる歯間ブラシ１０が用いられた場合でも、表３に示すような同様な評価試験の結果の傾向が見られた。
【００６０】
戻り角度θ２および曲り強度Ｆ１を、上述のように構成する方法としては、例えば、周知技術であるワイヤ部２ａの組成（鉄、クロム、マンガン、モリブデン、ニッケル、窒素の重量％、組成物質）、形状（径、断面形状）等を変更するなど周知の方法で行うことができる。本実施例においては、例えば、日本精線株式会社から入手したものを使用した。
【００６１】
同様に、先端曲り強度Ｆ２を上述のように構成する方法としては、例えば、把持部１の寸法（断面形状）、樹脂材料（ポリアミド（ナイロン）、ポリプロピレン、ポリスチレン、ポリエチレン、ポリエチレンテレフタレート（ＰＥＴ）、ポリブチレンテレフタレート（ＰＢＴ）、又はこれらの組合せ）等を変更するなど周知の方法で行うことができる。本実施例においては、例えば、株式会社プライムポリマーから入手したものを使用した。
以上、第３の実施形態に係る歯間ブラシ１０において、ワイヤブラシ部２の戻り角度θ２が２〜２５度の範囲内（好ましくは、曲り強度Ｆ１が６０〜５００ｇｆの範囲内である）となり、かつ把持部１の先端曲り強度Ｆ２が０．５〜３．５ｋｇｆの範囲内となるように構成することにより、表３に示す如く、歯間ブラシ１０のワイヤブラシ部２が歯間に対して斜めに挿入されたときの、ワイヤブラシ部２による金属不快感の評価点が良好に改善され、より良好な評価結果が得られる。すなわち、歯間ブラシ１０のワイヤブラシ部２が歯間に対して斜めに挿入された際の、金属不快感をさらに軽減することができる。
以上、本発明を、例示の実施形態を参照して説明したが、本発明の範囲から逸脱することなく、様々な変更を行ってもよく、各要素を均等物と交換してもよいということは当業者には理解されよう。更に、本発明の要旨から逸脱することなく、多くの変更を行って、特定の状況又は材料を本発明の教示に対し適合させることができる。従って、本発明を、実施する上で考えられる最良の態様として開示した特定の実施形態に限定しようとするものではなく、本発明は、特許請求の範囲の範疇における全ての実施形態を含むものとする。
【図面の簡単な説明】
【００６２】
【図１】（ａ）本発明の第１乃至第３の実施形態に係る歯間ブラシの概略を示す図であり、歯間ブラシを側方から見た図である。  （ｂ）図１（ａ）に示す歯間ブラシを垂直下方向へ見た平面図である。  （ｃ）図１（ａ）に示す歯間ブラシの把持部の後方把持部を、直線Ａ−Ａ’で切断した際の断面図である。
【図２−１】（ａ）ブラシ接合部から距離３ｍｍとなる位置が後方把持部の中心線に対して垂直下方向へ３ｍｍ押され、ワイヤブラシ部がその弾性により戻ったときの状態の一例を示す図である。  （ｂ）ブラシ接合部からワイヤブラシ部側へ距離３ｍｍとなる位置が、後方把持部の中心線に対して垂直下方向へ２ｍｍ押圧されたときの状態の一例を示す図である。
【図２−２】（ｃ）ブラシ接合部から把持部側へ５ｍｍとなる位置が、後方把持部の中心線に対して垂直下方向へ５ｍｍ押圧されたときの状態の一例を示す図である。
【符号の説明】
【００６３】
１    把持部
１ａ  前方把持部
１ｂ  後方把持部
１ｃ  ブラシ接合部
２    ワイヤブラシ部
２ａ  ワイヤ部
２ｂ  ブラシ部
１０    歯間ブラシ
【図１】
0005199688.tif 000005
【図２−１】
0005199688.tif 000006
【図２−２】
0005199688.tif 000007